(57)【要約】【課題】指紋採取に不快感を与えることなく、指紋の画像濃度が向上し、滲み（画像の拡散）を防止し、電子受容性顕色剤が塗布されたシートを発色させたときに、鮮明な指紋画像を容易に採取することができる指紋採取用材料を提供する。【解決手段】電子供与性ロイコ染料、有機溶剤及びワックスが混合されてなる固形物であることを特徴とする指紋採取用ワックス固形物。電子供与性ロイコ染料が、３−ジエチルアミノ−６−メチル−７−（２，４−キシリジノ）フルオラン、３−（Ｎ−エチル−Ｎ−イソペンチルアミノ）−６−メチル−７−アニリノフルオラン、３−ジブチルアミノ−６−メチル−７−アニリノフルオランおよび３−Ｎ，Ｎ−ジペンチルアミノ−６−メチル−７−アニリノフルオランからなる群から選ばれる少なくとも１種を含有することが好ましい。【選択図】なし【特許請求の範囲】
【請求項１】
電子供与性ロイコ染料、有機溶剤及びワックスが混合されてなる固形物であることを特徴とする指紋採取用ワックス固形物。
【請求項２】
前記電子供与性ロイコ染料が、３−ジエチルアミノ−６−メチル−７−（２，４−キシリジノ）フルオラン、３−（Ｎ−エチル−Ｎ−イソペンチルアミノ）−６−メチル−７−アニリノフルオラン、３−ジブチルアミノ−６−メチル−７−アニリノフルオランおよび３−Ｎ，Ｎ−ジペンチルアミノ−６−メチル−７−アニリノフルオランからなる群から選ばれる少なくとも１種を含有することを特徴とする請求項１に記載の指紋採取用ワックス固形物。
【請求項３】
前記電子供与性ロイコ染料が、３−ジエチルアミノ−６−メチル−７−（２，４−キシリジノ）フルオランおよび３−（Ｎ−エチル−Ｎ−イソペンチルアミノ）−６−メチル−７−アニリノフルオランを併用したものであることを特徴とする請求項２に記載の指紋採取用ワックス固形物。
【請求項４】
前記有機溶剤が、４−（１−フェニルエチル）−ｍ−キシレンであることを特徴とする請求項１〜３のいずれか１項に記載の指紋採取用ワックス固形物。
【請求項５】
前記ワックスが、パラフィンワックス又はポリエチレンワックスであることを特徴とする請求項１〜４のいずれか１項に記載の指紋採取用ワックス固形物。
【請求項６】
前記ワックスに対する前記有機溶剤の比が０．９０〜１．２０であることを特徴とする請求項１〜５のいずれか１項に記載の指紋採取用ワックス固形物。
【発明の詳細な説明】
【技術分野】
【０００１】
本発明は指紋採取用ワックス固形物に関する。詳しくは電子受容性顕色剤が塗布されたシート（下葉紙）を発色させるために使用する、電子供与性ロイコ染料を含有する指紋採取用ワックス固形物に関する。
【背景技術】
【０００２】
従来、指紋採取には、朱肉、黒色顔料インク又は黒色粉末等の着色物質を指先の指紋部に付着させ、これを、上質紙等の所定シートに押捺する方法が広く知られている。
この従来の押捺方式は、朱肉、黒色顔料インク又は黒色粉末等を指先に着けて押捺することから、押捺後もこれらの着色物質が指先に残り、押捺者に不快な思いをさせるものであった。
【０００３】
最近では、電子供与性ロイコ染料と電子受容性顕色剤の発色反応を用いることで、指に着色物質を付着することなく、指紋画像を採取する方法が開発されている。
例えば、電子供与性染料前駆体（発色剤）を溶解させた溶液を指先の指紋部に付着させ、この指先の指紋部を電子受容性顕色剤が塗布されたシートに押捺し、発色反応による指紋を採取する方法が提案されている（特許文献１）。
【０００４】
また、基材上に発色剤層もしくは顕色剤層を有する台紙と、前記台紙上に折り重ね可能に連接された透明保護フィルムと、前記台紙上に折り重ね可能に連接され、且つ裏面に顕色剤層または発色剤層を有するシートとからなる指紋採取媒体を用いて、前記台紙の指紋押捺部上に折り重ねることで指紋画像を得る方法、基材上に粘着層を有しこの粘着層表面に指から分泌される分泌物、例えば水分、脂肪分、角質成分、タンパク質を付着させ、反対面に、疎水性のトナーまたはインキを用いて指紋採取する方法、更にこれら分泌物と、ニンヒドリン反応やキサンプロテイン反応等の化学反応を用いることが提案されている（特許文献２）。
【０００５】
更に、電子受容性顕色剤を油脂に分散もしくは溶解、或いは油脂と水に乳化分散させてクリーム状にしたものを指先に付着させて、これを上質紙等に押捺し、この押捺部に溶剤等に溶解した電子供与性ロイコ染料液を塗布若しくはスプレーして発色させ指紋画像を得る方法も提案されている（特許文献３）。
【先行技術文献】
【特許文献】
【０００６】
【特許文献１】特開平０８−２９９３０８号公報
【特許文献２】特開２０００−１２６１５９号公報
【特許文献３】特開２００７−２５２７０８号公報
【発明の概要】
【発明が解決しようとする課題】
【０００７】
指紋採取には、上記のように、朱肉、黒色顔料インク又は黒色粉末等の着色物質を指に付着させ、所定シートに押捺する方法が一般的に採用されているが、これらの方法は、押捺後もこれらの着色物質が指先に残り、押捺者に不快感を与える。また、電子供与性ロイコ染料を溶剤に溶解した溶液を使用する特許文献１および２の場合は、溶剤の粘度および表面張力が低いために顕色剤層面に付着させた場合、シート（顕色剤層面）上で拡散し、それに伴って指紋画像を拡散させ、結果的に鮮明な指紋画像を得ることができ難い。
拡散が生じないようにするには、当該染料溶解液を指先指紋部に付着させる量を適量に調節することが必要となる。しかし、従来の方法では、適量に調節することは現実的には容易でない。
【０００８】
本発明は、上記事情に鑑みなされたものであり、指紋採取に不快感を与えることなく、指紋の画像濃度が向上し、滲み（画像の拡散）を防止し、電子受容性顕色剤が塗布されたシートを発色させたときに、鮮明な指紋画像を容易に採取することができる指紋採取用材料を提供することを課題とする。
【課題を解決するための手段】
【０００９】
本発明は、以下の態様を含む。
［１］電子供与性ロイコ染料、有機溶剤及びワックスが混合されてなる固形物であることを特徴とする指紋採取用ワックス固形物。
［２］前記電子供与性ロイコ染料が、３−ジエチルアミノ−６−メチル−７−（２，４−キシリジノ）フルオラン、３−（Ｎ−エチル−Ｎ−イソペンチルアミノ）−６−メチル−７−アニリノフルオラン、３−ジブチルアミノ−６−メチル−７−アニリノフルオランおよび３−Ｎ，Ｎ−ジペンチルアミノ−６−メチル−７−アニリノフルオランからなる群から選ばれる少なくとも１種を含有することを特徴とする前記［１］に記載の指紋採取用ワックス固形物。
【００１０】
［３］前記電子供与性ロイコ染料が、３−ジエチルアミノ−６−メチル−７−（２，４−キシリジノ）フルオランおよび３−（Ｎ−エチル−Ｎ−イソペンチルアミノ）−６−メチル−７−アニリノフルオランを併用したものであることを特徴とする前記［２］に記載の指紋採取用ワックス固形物。
［４］前記有機溶剤が、４−（１−フェニルエチル）−ｍ−キシレンであることを特徴とする前記［１］〜［３］のいずれか１項に記載の指紋採取用ワックス固形物。
【００１１】
［５］前記ワックスが、パラフィンワックス又はポリエチレンワックスであることを特徴とする前記［１］〜［４］のいずれか１項に記載の指紋採取用ワックス固形物。
［６］前記ワックスに対する前記有機溶剤の比が０．９０〜１．２０であることを特徴とする前記［１］〜［５］のいずれか１項に記載の指紋採取用ワックス固形物。
【発明の効果】
【００１２】
本発明の指紋採取用ワックス固形物を指紋採取に使用することで、従来技術のような着色物質の使用による指紋採取時の不快感もなくなり、電子受容性顕色剤が塗布されたシートに押捺することで指紋が容易に採取できる。また、電子供与性ロイコ染料の溶剤への溶解濃度を制御することで、電子受容性顕色剤が塗布されたシートを発色させたときに、採取指紋画像の濃度調節が可能となり、加えて発色反応時の滲み（画像の拡散）を阻止することができ、結果として、採取検体を限定せず、所望の鮮明な指紋画像を得ることができる。
【発明を実施するための形態】
【００１３】
本発明の指紋採取用ワックス固形物は、電子供与性ロイコ染料、有機溶剤及びワックスが混合されてなる固形物であることを特徴とする。本発明の指紋採取用ワックス固形物は、電子供与性ロイコ染料を有機溶剤に溶解して得られた溶解物を、加熱溶融状のワックス中に分散させた後、冷却固化させることにより製造することができる。
【００１４】
本発明で使用される電子供与性ロイコ染料としては、トリフェニルメタン系、フルオラン系、ジフェニルメタン系、スピロ系、フルオレン系、チアジン系化合物が挙げられ、従来公知のものから選ぶことができる。
【００１５】
例えば、３−ジエチルアミノ−６−メチル−７−（２，４−キシリジノ）フルオラン、３，３−ビス（ｐ−ジメチルアミノフェニル）−６−ジメチルアミノフタリド、３，３−ビス（ｐ−ジメチルアミノフェニル）フタリド、３−（４−ジエチルアミノ−２−エトキシフェニル）−３−（１−エチル−２−メチルインドール−３−イル）−４−アザフタリド、３，３−ビス（Ｐ−メチルアミノフェニル）−６−ジメチルアミノフタリド、
【００１６】
３−ジエチルアミノ−７−ジベンジルアミノベンゾ［α］フルオラン、３−（１−エチル−２−メチルインドール−３−イル）−３−（４−ジエチルアミノ−２−ｎ−ヘキシルオキシフェニル）−４−アザフタリド、３−（１−エチル−２−メチルインドール−３−イル）−３−（４−ジエチルアミノ）−２−メチルフェニル−４−アザフタリド、３−（４−ジエチルアミノフェニル）−３−（１−エチル−２−メチルインドール−３−イル）フタリド、３−（２−メチル−１−ｎ−オクチルインドール−３−イル）−３−（４−ジエチルアミノ−２−エトキシフェニル）−４−アザフタリド、
【００１７】
３−（Ｎ−エチル−Ｎ−イソペンチルアミノ）−６−メチル−７−アニリノフルオラン、３−ジエチルアミノ−６−メチル−７−アニリノフルオラン、３−ジエチルアミノ−６−メチル−７−（ｏ，ｐ−ジメチルアニリノ）フルオラン、３−（Ｎ−エチル−Ｎ−ｐ−トルイジノ）−６−メチル７−アニリノフルオラン、３−ピロリジノ−６−メチル−７−アニリノフルオラン、３−ジブチルアミノ−６−メチル−７−アニリノフルオラン、３−（Ｎ−シクロヘキシル−Ｎ−メチルアミノ）−６−メチル−７−アニリノフルオラン、３−ジエチルアミノ−７−（ｏ−クロロアニリノ）フルオラン、３−ジエチルアミノ−７−（ｍ−トリフロロメチルアニリノ）フルオラン、３−Ｎ，Ｎ−ジペンチルアミノ−６−メチル−７−アニリノフルオラン、３−［Ｎ−（３−エトキシプロピル）−Ｎ−エチルアミノ］６−メチル−７−アニリノフルオラン、３−（Ｎ−ｎ−ヘキシル−Ｎ−エチルアミノ）−７−（ｏ−クロロアニリノ）フルオラン、３−（Ｎ−エチル−Ｎ−２−テトラヒドロフルフリルアミノ）−６−メチル−７−アニリノフルオラン、
【００１８】
２，２−ビス｛４−［６’−（Ｎ−シクロヘキシル−Ｎ−メチルアミノ）−３’−メチルスピロ［フタリド−３，９’−キサンテン］−２’−イルアミノ］フェニル｝プロパン、３−ジブチルアミノ−７−（ｏ−クロロアニリノ）フルオラン、３，６−ジメトキシフルオラン、３−ピロリジノ−６−クロロフルオラン、３−ジエチルアミノ−６−メチル−７−クロロフルオラン、３−ジエチルアミノ−７−クロロフルオラン、３−ジエチルアミノ−７，８−ジベンゾフルオラン、３−ジエチルアミノ−６，７−ジメチルフルオラン、３−（Ｎ−メチル−ｐ−トルイジノ）−７−メチルフルオラン、３−（Ｎ−メチル−Ｎ−イソペンチルアミノ）−７，８−ベンゾフルオラン、３，３’−ビス（１−ｎ−ペンチル−２−メチルインドール−３−イル）フタリド、３−（Ｎ−メチル−Ｎ−イソペンチルアミノ）−７−フェノキシフルオラン、３，３’−ビス（１−ｎ−ブチル−２−メチルインドール−３−イル）フタリド、３，３’−ビス（１−エチル−２−メチルインドール−３−イル）フタリド、３，３’−ビス（ｐ−ジメチルアミノフェニル）フタリド、３−（Ｎ−エチル−Ｎ−ｐ−トリルアミノ）−７−（Ｎ−フェニル−Ｎ−メチルアミノ）フルオラン、３−ジエチルアミノ−７−アニリノフルオラン、３−ジエチルアミノ−７−ベンジルアミノフルオラン、３−ピロリジノ−７−ジベンジルアミノフルオラン、
などからも選ぶことができ、本発明はこれらに限定されるものではなく、又２種類以上を併用してもよい。
【００１９】
電子供与性ロイコ染料の有機溶剤に対する溶解性は、当該染料の種類、当該染料をどのような有機溶剤に溶解するか、即ち、当該染料と有機溶剤との組合せ等によって異なるが、本発明において、高濃度の指紋画像を採取するためには、どのような当該染料を使用する場合にも基本的には有機溶剤に対し当該染料を飽和溶解度まで溶解したものを使用することが望ましい。
【００２０】
上記電子供与性ロイコ染料の中でも４−（１−フェニルエチル）−ｍ−キシレン等の有機溶剤への溶解性が良く、また高い発色濃度が得られる電子供与性ロイコ染料を選択することが好ましく、このような電子供与性ロイコ染料として、３−ジエチルアミノ−６−メチル−７−（２，４−キシリジノ）フルオラン、３−（Ｎ−エチル−Ｎ−イソペンチルアミノ）−６−メチル−７−アニリノフルオラン、３−ジブチルアミノ−６−メチル−７−アニリノフルオランおよび３−Ｎ，Ｎ−ジペンチルアミノ−６−メチル−７−アニリノフルオランを挙げることができる。これらから選ばれる少なくとも１種を含有することが好ましい。
【００２１】
これら電子供与性ロイコ染料の中でも、３−ジエチルアミノ−６−メチル−７−（２，４−キシリジノ）フルオランおよび３−（Ｎ−エチル−Ｎ−イソペンチルアミノ）−６−メチル−７−アニリノフルオランを併用したものは、有機溶剤への溶解性が高く最も良好な組み合わせである。
【００２２】
電子供与性ロイコ染料を溶解させる有機溶剤としては、灯油、パラフィン、ナフテン油、アルキル化ビフェニル、アルキル化ターフェニル、塩素化パラフィン、アルキル化ナフタレン、ジアリールアルカン、フタル酸エステルおよび植物油等が使用可能である。特にその中でも、４−（１−フェニルエチル）−ｍ−キシレンやジイソプロピルナフタレンが好適である。
【００２３】
本発明で使用されるワックスは、融点が３５℃〜１２０℃程度の高級脂肪酸類、高級アルコール類、高級脂肪酸アミド類、高級脂肪酸エステル類、パラフィン類、ポリエチレンワックス類等の高級脂肪族基を主体とする化合物が使用される。
【００２４】
具体例としては、例えばカルナウバワックス、モンタンワックス、パラフィンワックス、ポリエチレンワックス、ワセリン、パルミチン酸、ステアリン酸、ベヘン酸、ミリスチン酸、ステアリン酸メチル、ステアリン酸アニリド、ステアリン酸アミド、ベヘン酸アミド、ステアリルアルコールが挙げられる。
【００２５】
中でも、電子供与性ロイコ染料との着色が少ないパラフィンワックスが好適であり、例えば日本精蝋（株）製のパラフィンワックス１２０°Ｆ（融点４９℃）、パラフィンワックス１３０°Ｆ（融点５３℃）、パラフィンワックス１４０°Ｆ（融点６０℃）、パラフィンワックス１４５°Ｆ（融点６３℃）、パラフィンワックス  ＨＮＰ−３（融点６６℃）、パラフィンワックスＨＮＰ−９（融点７５℃）、ＪＸ日鉱日石エネルギー（株）製のパラフィンワックス１３５°Ｆ（融点５８℃）等は有用である。また三井化学（株）製のポリエチレンワックスも使用可能である。
【００２６】
電子供与性ロイコ染料を溶解させた有機溶剤をワックス中に分散させるには、加熱溶融状態にしたワックス中に当該有機溶剤を添加することで容易に分散させることができる。そして分散後、当該ワックスを冷却することにより、当該電子供与性ロイコ染料及び有機溶剤が分散したワックス固形物とすることが可能である。
【００２７】
なお、電子供与性ロイコ染料を溶解させた有機溶剤が分散したワックス固形物は、乾燥等の影響で表面等にひび割れが生じ易く、そのひび割れを防止するには保湿性機能を持つ例えばワセリンを含有させることが好ましい。
【００２８】
本発明で、電子供与性ロイコ染料を有機溶剤に溶解させた溶解物のワックス中への分散割合は、発色反応時の滲みや発色濃度に大きく影響することになる。このことを考慮して、前記ワックスに対する前記有機溶剤の比は０．８５〜１．３０であることが好ましく、０．９０〜１．２０であることがより好ましい。前記ワックスに対する前記有機溶剤の比は、この下限値以上とすることにより優れた発色濃度とすることができ、また、この上限値以下とすることにより滲みを小さくすることができる。
【００２９】
指紋採取用シートを構成する顕色剤としては、４，４’−ジヒドロキシ−ジフェニルスルホン、２，２−ビス（４−ヒドロキシフェニル）プロパン、４，４’−ビス（Ｎ−ｐ−トルエンスルホニルアミノカルボニルアミノ）ジフェニルメタン、Ｎ−（ｐ−トルエンスルホニル）−Ｎ’−（ｐ−ブトキシカルボニルフェニル）ウレア、Ｎ−ｐ−トリルスルホニル−Ｎ’−フェニルウレア、３，３’−ジアリル−４，４’−ジヒドロキシジフェニルスルホン等、ならびに、サリチル酸、３−フェニルサリチル酸、３−シクロヘキシルサリチル酸、３−ｔｅｒｔ−ブチル−５−メチルサリチル酸、３，５−ジ−ｔｅｒｔ−ブチルサリチル酸、３−メチル−５−ベンジルサリチル酸、３−フェニル−５−（α，α−ジメチルベンジル）サリチル酸、３−シクロヘキシル−５−（α，α−ジメチルベンジル）サリチル酸、３−（α，α−ジメチルベンジル）−５−メチルサリチル酸、３，５−ジ−シクロヘキシルサリチル酸、３，５−ジ−（α−メチルベンジル）サリチル酸、３，５−ジ−（α，α−ジメチルベンジル）サリチル酸、３−（α−メチルベンジル）−５−（α，α−ジメチルベンジル）サリチル酸、４−メチル−５−シクロヘキシルサリチル酸、２−ヒドロキシ−１−ベンジル−３−ナフトエ酸、１−ベンゾイル−２−ヒドロキシ−３−ナフトエ酸、３−ヒドロキシ−５−シクロヘキシル−２−ナフトエ酸、２−ヒドロキシ−４−ベンジル−[（４−カルボキシ−５−ヒドロキシ）フェニル]−１−ナフトエ酸、３−メチル−５−（イソ）ノニルサリチル酸、３−メチル−５−（イソ）ドデシルサリチル酸、３−メチル−５−（イソ）ペンタデシルサリチル酸、３−メチル−５−（α−メチルベンジル）サリチル酸、３−メチル−５−（α，α−ジメチルベンジル）サリチル酸、３，５−ジ−ｓｅｃ−ブチルサリチル酸、３，５−ジ−ｔｅｒｔ−ブチル−６−メチルサリチル酸、３−ｔｅｒｔ−ブチル−５−フェニルサリチル酸、３，５−ジ−ｔｅｒｔ−ペンチルサリチル酸、３−シクロトキシル−５−（イソ）ノニルサリチル酸、３−フェニル−５−（イソ）ノニルサリチル酸、３−（α−メチルベンジル）−５−（イソ）ノニルサリチル酸、３−イソプロピル−５−（イソ）ノニルサリチル酸、３−（イソ）ノニルサリチル酸、３−（イソ）ノニル−５−メチルサリチル酸、３−（イソ）ノニル−５−シクロヘキシルサリチル酸、３−（イソ）ノニル−５−（α−メチルベンジル）サリチル酸、３−（イソ）ノニル−５−（４，α−ジメチルベンジル）サリチル酸、３−（イソ）ノニル−５−（α，α−ジメチルベンジル）サリチル酸、３−（α、α−ジメチルベンジル）−５−（イソ）ノニルサリチル酸、５−（イソ）ノニルサリチル酸、３−（イソ）ノニル−６−メチルサリチル酸、３−ｔｅｒｔ−ブチル−５−（イソ）ノニルサリチル酸、３，５−ジ−（イソ）ノニルサリチル酸、３−（イソ）ドデシルサリチル酸、３−（イソ）ドデシル−５−メチルサリチル酸、３−（イソ）ドデシル−６−メチルサリチル酸、３−イソプロピル−（イソ）ドデシルサリチル酸、３−（イソ）ドデシル−５−エチルサリチル酸、５−（イソ）ドデシルサリチル酸、３−（イソ）ペンタデシルサリチル酸、３−（イソ）ペンタデシル−５−メチルサリチ��酸、３−（イソ）ペンタデシル−６−メチルサリチル酸、５−（イソ）ペンタデシルサリチル酸、３−シクロヘキシル−５−（α−メチルベンジル）サリチル酸、３−（α−メチルベンジル）サリチル酸、３−（α−メチルベンジル）−５−メチルサリチル酸、３−（α−メチルベンジル）−６−メチルサリチル酸、３−（α−メチルベンジル）−５−フェニルサリチル酸、３−（α−メチルベンジル）−５−ブロモサリチル酸、３−（４，α−ジメチルベンジル）５−メチルサリチル酸、３，５−ジ（４，α−ジメチルベンジル）サリチル酸、３−（α，α−ジメチルベンジル）−６−メチルサリチル酸、３，５−ジ（α，α−ジメチルベンジル）サリチル酸、５−（４−メシチルメチルベンジル）サリチル酸、ベンジル化スチレン化サリチル酸、４−オクチルオキシアセチルアミノサリチル酸等のサルチル酸の誘導体、及びそれらの多価金属塩が挙げられる。
【００３０】
更に、顕色剤として、２−ヒドロキシ−３−（α，α−ジメチルベンジル）−１−ナフトエ酸または３−ヒドロキシ−７−（α，α−ジメチルベンジル）−２−ナフトエ酸などの芳香族カルボン酸およびその多価金属塩が挙げられる。
多価金属塩の具体的な例としては、マグネシウム、カルシウム、亜鉛、アルミニウム、鉄、コバルト、ニッケル等が挙げられるが亜鉛が最も好ましい。
これらは単独で使用してもよいし、併用して使用することも可能である。
【００３１】
ここで、（イソ）アルキルは、イソアルキルまたはノルマルアルキルを示す。
イソノニル基は、プロピレン３量体が付加して生じた置換基を示し、イソドデシル基は、プロピレン４量体または１−ブテン３量体が付加して生じた置換基を示し、イソペンタデシル基は、プロピレン５量体が付加して生じた置換基を示す。
【００３２】
本発明において、好ましい顕色剤としては、発色濃度の観点から特にサリチル酸の誘導体が好ましく、特に好ましいのは３，５−ジ−（α−メチルベンジル）サリチル酸の亜鉛塩である。
【実施例】
【００３３】
以下、実施例、比較例により本発明を具体的に説明するが、本発明はこれらに限定されるものではない。下記の説明において、「部」は、「質量部」を表す。
【００３４】
［下葉紙］
上記する指紋採取用ワックス固形物の性能を評価するために使用する下葉紙を下記の方法によって製造した。
【００３５】
［下葉紙を構成する電子受容性顕色剤塗布液の調整］
３，５−ジ−（α−メチルベンジル）サリチル酸の亜鉛塩１００部をトルエン１００部に溶解し、３％のポリビニルアルコール水溶液１５０部中にホモミキサーを用いて乳化し、その後、トルエンを水蒸気蒸留して４０％の顕色剤微粒子を得た。この顕色剤分散液２５部（４０％分散液）に軽質炭酸カルシウム（商品名：ＴＰ−１２３：奥多摩工業（株）製）６０部、カオリン（商品名：ＵＷ−９０：ＢＡＳＦ製）１５部、酸化澱粉の２０％水溶液１００部、固形分４８％のスチレンブタジエン共重合体ラテックス（商品名：Ｌ−１５７１：三井化学（株）製）１０．４２部および水を混合、撹拌して国分濃度が４０％になるように顕色剤層塗布液を作成した。
【００３６】
［下葉紙の作成］
上記で調整した顕色剤塗布液を、米坪が４０ｇ／ｍ２の原紙の片面に乾燥重量が５ｇ／ｍ２となるようにバーコーターで塗工、乾燥して指紋画像を形成するための下葉紙を作成した。
【００３７】
［指紋採取用ワックス固形物の作成］
（実施例１）
電子供与性ロイコ染料として、１．５部の３−ジエチルアミノ−６−メチル−７−（２，４−キシリジノ）フルオラン及び１．５部の３−（Ｎ−エチル−Ｎ−イソペンチルアミノ）−６−メチル−７−アニリノフルオランを１７部の４−（１−フェニルエチル）−ｍ−キシレンに溶解させ、この溶解物を、加熱溶融させた１８部のパラフィンワックス（パラフィンワックス―１２０、日本精蝋（株）製、融点：４９℃）に混合させた後、冷却固化させて指紋採取用ワックス固形物を作成した。パラフィンワックスに対する当該有機溶剤（４−（１−フェニルエチル）−ｍ−キシレン）の比は０．９４４である。
【００３８】
（実施例２）
指紋採取用ワックス固形物の作成において、１８部のパラフィンワックスを１８部のポリエチレンワックス（三井化学（株）製）に変更して使用した以外は実施例１と同様にして指紋採取用ワックス固形物を作成した。ポリエチレンワックスに対する当該有機溶剤の比は０．９４４である。
【００３９】
（実施例３）
指紋採取用ワックス固形物の作成において、電子供与性ロイコ染料として、２．５部の３−ジエチルアミノ−６−メチル−７−（２，４−キシリジノ）フルオランを１７．５部の４−（１−フェニルエチル）−ｍ−キシレンに溶解させた以外は実施例１と同様にして指紋採取用ワックス固形物を作成した。パラフィンワックスに対する当該有機溶剤の比は０．９７２である。
【００４０】
（実施例４）
指紋採取用ワックス固形物の作成において、電子供与性ロイコ染料として、２．５部の３−（Ｎ−エチル−Ｎ−イソペンチルアミノ）−６−メチル−７−アニリノフルオランを１７．５部の４−（１−フェニルエチル）−ｍ−キシレンに溶解させ、この溶解物を、加熱溶融させた１８部のポリエチレンワックス（三井化学（株）製）の加熱溶融物に混合させた後、冷却固化させて指紋採取用ワックス固形物を作成した。ポリエチレンワックスに対する当該有機溶剤の比は０．９７２である。
【００４１】
（実施例５）
指紋採取用ワックス固形物の作成において、１８部のパラフィンワックスを同じく１３部のパラフィンワックスに変更して使用した以外は実施例１と同様にして指紋採取用ワックス固形物を作成した。ポリエチレンワックスに対する当該有機溶剤の比は１．３０８である。
【００４２】
（実施例６）
指紋採取用ワックス固形物の作成において、電子供与性ロイコ染料として、１．５部の３−ジエチルアミノ−６−メチル−７−（２，４−キシリジノ）フルオラン及び１．５部を１７部の３−（Ｎ−エチル−Ｎ−イソペンチルアミノ）−６−メチル−７−アニリノフルオランを夫々１．５部を１７部の４−（１−フェニルエチル）−ｍ−キシレンに溶解させ、この溶解物を、加熱溶融させた１４．５部のパラフィンワックス（パラフィンワックス−１２０、日本精蝋（株）製、融点：４９℃）に混合させた後、冷却固化させて指紋採取用ワックス固形物を作成した。パラフィンワックスに対する当該有機溶剤の比は１．１７２である。
【００４３】
（実施例７）
電子供与性ロイコ染料として、１．５部の３−ジエチルアミノ−６−メチル−７−（２，４−キシリジノ）フルオラン及び１．５部の３−（Ｎ−エチル−Ｎ−イソペンチルアミノ）−６−メチル−７−アニリノフルオランを１７部の４−（１−フェニルエチル）−ｍ−キシレンに溶解させ、この溶解物を、加熱溶融させた２１部のパラフィンワックス（パラフィンワックス−１２０、日本精蝋（株）製、融点：４９℃）に混合させた後、冷却固化させて指紋採取用ワックス固形物を作成した。パラフィンワックスに対する当該有機溶剤の比は０．８１０である。
【００４４】
［指紋採取用溶液の作成］
（比較例１）
指紋採取用ワックス固形物の作成において、電子供与性ロイコ染料として、１．５部の３−ジエチルアミノ−６−メチル−７−（２，４−キシリジノ）フルオラン及び１．５部の３−（Ｎ−エチル−Ｎ−イソペンチルアミノ）−６−メチル−７−アニリノフルオランを１７部の４−（１−フェニルエチル）−ｍ−キシレンに溶解して指紋採取用溶液とした。
【００４５】
［指紋採取方法］
各実施例の指紋採取用ワックス固形物に指先指紋部を接触させて、当該ワックスを付着させる。指紋部に付着したワックスを海綿又はスポンジ等で均一にならし、次いで下葉紙に指の腹全体が接触するようにゆっくり横回転をさせながら押しつけ、発色反応による指紋画像を採取した。
【００４６】
また、比較例の指紋採取用溶液に指先指紋部を接触させて、当該溶液を付着させる。指紋部に付着した溶液を海綿又はスポンジ等で均一にならし、次いで下葉紙に指の腹全体が接触するようにゆっくり横回転をさせながら押しつけ、発色反応による指紋画像を採取した。
【００４７】
実施例１〜７、比較例１について上記、指紋採取方法で採取した指紋について評価を実施した。
その結果を表１に示す。
【００４８】
【表１】
2018046944.tif 000002
【００４９】
※転写濃度
◎：十分な濃度が得られる 
○：判読可能な濃度が得られる 
△：判読可能であるが濃度がやや低い
【００５０】
※画像の滲み
○：滲みを生じない
△：若干の滲みがある
×：滲みがひどく判読不能
【００５１】
表１から判るように、実施例による指紋画像は鮮明であり、指紋採取は、指先指紋部を本発明の指紋採取用ワックス固形物面に接触・擦ることで固形ワックスに分散している電子供与性ロイコ染料を指紋部に付着させ、シートの顕色剤層面に付着させることで、不快感を与えることがなく、また亡くなった人からの指紋採取でも検体を汚染することなく、容易に指紋採取ができる。
【産業上の利用可能性】
【００５２】
本発明の指紋採取用ワックス固形物は、電子供与性ロイコ染料とワックスにより構成しているため、指紋採取の際、従来の指紋採取法のような着色物質の付着による指先の不快感はなく、電子供与性ロイコ染料をワックスと混合する際に、染料を有機溶剤に溶解したものを使用することにより、電子供与性ロイコ染料の濃度と滲みを制御することができる。
最終の剤型が固形のワックス状であるので、従来の指紋採取用インクに代わるものとして産業上の利用可能性は極めて有望である。